(57)【要約】      （修正有）【課題】扉を閉扉方向、開扉方向の何れの方向にも的確に停止させることができるドアストッパを提供する。【解決手段】扉５の立面を形成する裏面パネル５３に脚部８を取り付けるにあたり、脚部８は基端部８ｘを扉５の立面である裏面パネル５３に対する略垂直な軸部材９５の回りに扉５の面に平行な面内で回転自在であり、先端部８ｙを軸部材９５の直下において床Ｆに押し付けるように接地させた状態で床Ｆからの押し付け反力によって扉５に開閉何れの方向に対しても保持力を作用させ得るように構成した。【選択図】図６
2012041797.tif 000002
【特許請求の範囲】
【請求項１】
扉の立面に脚部を取り付けることによって構成されるものであって、前記脚部は基端部を扉の立面に対する略垂直な軸回りに回転自在であり、先端部を前記軸の直下において床に押し付けるように接地させた状態で床からの押し付け反力によって扉に開閉何れの方向に対しても保持力を作用させ得るようにしたことを特徴とするドアストッパ。
【請求項２】
脚部を扉に取り付けるための軸受部材を具備し、この軸受部材の一部に、脚部が回転して先端部が基端部の真上を通過した位置に当該脚部を自重で停止させる係り合い部を設けている請求項１記載のドアストッパ。
【請求項３】
軸受部材に一対の対向する取付部を設け、一方の取付部を扉に取り付けた際には接地状態にある脚部を一方向に回転させて前記係り合い部に停止させることができるとともに、他方の取付部を扉に取り付けた際には接地状態にある脚部を他方向に回転させて前記係り合い部に停止させることができるようにしている請求項２記載のドアストッパ。
【請求項４】
脚部を扉に取り付けるための軸受部材を具備し、この軸受部材の一部に、脚部の接地高さを調節するための高さ調節部を設けている請求項１〜３何れかに記載のドアストッパ。
【請求項５】
請求項１〜４何れかに記載のドアストッパを間仕切壁の一部を構成する開き戸式の扉に付帯させてなることを特徴とする間仕切装置。
【発明の詳細な説明】
【技術分野】
【０００１】
本発明は、閉扉方向のみならず開扉方向にも停止機能が働くようにしたドアストッパに関するものである。
【背景技術】
【０００２】
従来より、部屋や建物の出入り口部分に開閉可能に取り付けられている開き戸形式の扉では、扉を閉めるためにドアクローザ等の閉扉付勢具を取り付けることにより、開放させた扉を自動的に閉じるように付勢し、扉が開けっ放しの状態となることを防ぐ構造が一般的である。
【０００３】
このようなタイプの扉を開扉位置、閉扉位置以外の位置で停止させるストッパとして、例えば特許文献１に示されるように、扉の閉止方向側の面にドアストッパを装着するようにしたものが知られている。このものは、脚部の根元部分を基板を介して扉に回転自在に取り付け、先端部を扉から閉扉方向へ偏位した位置に接地させて、扉が閉まろうとする動作を起こした際に、先端部を床に突っ張らせて扉を所要位置に停止させ得るようにしているものである。
【０００４】
このようなドアクローザが採用される扉は、通常、ほぼ９０°開いた位置にドアクローザの停止位置が設定してあることが多い。
【先行技術文献】
【特許文献】
【０００５】
【特許文献１】特開２００３−２７８４２９号公報
【発明の概要】
【発明が解決しようとする課題】
【０００６】
ところが、例えば連続壁面に沿って通路等が存する表側空間と各種機械等が設置される裏側空間とを区画し、その連続壁面を構成している間仕切りパネルの一部に開閉扉を採用している場合には、かかる開閉扉に対してドアストッパを停止方向にのみ効かせるだけでは不十分な場合がある。例えば、扉の開閉範囲が略９０°であるように蝶番その他が設定されている場合には、開扉した扉が通路の一部を遮る状態になるため、人や荷物、風等の種々の原因によって扉に対して閉扉方向のみならず開扉方向にも外力が働くおそれがあり、蝶番に無理な力が働いて破損の原因になることが考えられるし、扉が略１８０°の範囲で自由に開閉できるように構成されている場合にも、各々の角度位置で閉扉方向のみならず開扉方向に働く外力をも何らかの手段によって受け止める必要がある。
【０００７】
このような場合に、上記特許文献１のようなドアストッパを採用すると、ストッパの停止機能は開閉方向の一方向にのみしか働かないため、扉の両面にドアストッパをつけざるを得ない。しかしながら、そのようにすると部品点数やコストが倍増するだけでなく、閉止時にも扉の外側空間の通路等にドアストッパが常駐して、通行の邪魔になり業務に支障を来たすことになる。同文献のものは扉が金属製である場合に脚部を支持する基板を磁石によって扉に取り付ける構成も示されているが、扉の素材を限定しない汎用的な使い方はできず、支持能力の限界も低く、必要に応じてドアストッパを持ち出したり保管したりする煩わしさも伴う。
【０００８】
また、上記特許文献１では、脚部を真上で係止させるようにしているが、そのためにストッパの内部に停止機構のための余分な機構部品を組み込むことを余儀なくされている。
【０００９】
さらに、他の特許文献として、例えば、特開２００５−６８９４８号公報に示されるように、扉の内部からストッパを垂直に昇降させて必要に応じて床等に接地させるように構成することも考えられるが、扉の内部にストッパ及びその作動機構を組み込まなければならず、しかも十分な押し付け力を発現しなければならないため、構造が複雑になり、そもそも薄い扉や内部構造に制約の多い扉、既存の扉には採用できないものである。
【００１０】
本発明は、これらの課題をことごとく解決し得る新たな構造のドアストッパを、これを備えた間仕切装置とともに提供することを目的としている。
【課題を解決するための手段】
【００１１】
本発明は、かかる目的を達成するために、次のような手段を講じたものである。
【００１２】
すなわち、本発明のドアストッパは、扉の立面に脚部を取り付けることによって構成されるものであって、前記脚部は基端部を扉の立面に対する略垂直な軸回りに回転自在であり、先端部を前記軸の直下において床に押し付けるように接地させた状態で床からの押し付け反力によって扉に開閉何れの方向に対しても保持力を作用させ得るようにしたことを特徴とする。
【００１３】
このようにすると、脚部から扉に作用する保持力に方向性が無くなるので、１つのドアストッパで扉の閉扉、開扉何れの方向にも適切に停止機能を発揮させることができる。しかも、脚部は回転動作を通じて斜め状態で接地し、鉛直姿勢になるまで先端部を床に押し込むだけでよく、複雑な機構を用いずとも簡単に押し付け力を高めることができる。さらに、立面に脚部を回転可能に取り付けるだけであるから、外付けでも簡単に扉に取り付けることができる。
【００１４】
不使用時に脚部を待機位置に簡易に保持するためには、脚部を扉に取り付けるための軸受部材の一部に、脚部が回転して先端部が基端部の真上を通過した位置に当該脚部を自重で停止させる係り合い部を設けておくことが好ましい。
【００１５】
右開きの扉、左開きの扉の何れに対してもドアストッパを共用できるようにするためには、軸受部材に一対の対向する取付部を設け、一方の取付部を扉に取り付けた際には接地状態にある脚部を一方向に回転させて前記係り合い部に停止させることができるとともに、他方の取付部を扉に取り付けた際には接地状態にある脚部を他方向に回転させて前記係り合い部に停止させることができるようにしていることが望ましい。
【００１６】
床からの反力を設置場所ごとに適正化するためには、脚部を扉に取り付けるための軸受部材の一部に、脚部の接地高さを調節するための高さ調節部を設けていることが好ましい。
【００１７】
本発明のドアストッパは、以上のような構成であるから、特に間仕切壁の一部を構成する開き戸式の扉のように、半開きの状態で閉扉、開扉何れの方向にも扉を停止させておく必要のあるものに適用して特に有用なものとなり得る。
【発明の効果】
【００１８】
本発明は、以上説明した構成であるから、単一のドアストッパで扉を閉扉方向、開扉方向の何れの方向にも的確に停止させることができ、構造も簡素で扉に対して外付けが可能であり、右勝手、左勝手の何れの扉にも同じドアストッパで対応できるようにした、新規有用なドアストッパを、これを備えた間仕切装置とともに提供することが可能となる。
【図面の簡単な説明】
【００１９】
【図１】本発明の一実施形態に係るドアストッパを適用した間仕切装置の正面図。
【図２】同平面図。
【図３】同間仕切装置に適用されているドアストッパの分解斜視図。
【図４】同ドアストッパを間仕切装置の左端側に配置される扉に取り付けた状態を示す裏面図。
【図５】図４におけるＶ−Ｖ線断面図。
【図６】同取付状態を示す斜視図。
【図７】同ドアストッパを間仕切装置の右端側に配置される扉に取り付けた状態を示す裏面図。
【図８】図７におけるＶＩＩＩ−ＶＩＩＩ線断面図。
【図９】同取付状態を示す斜視図。
【発明を実施するための形態】
【００２０】
以下、本発明の一実施形態を、図面を参照して説明する。
【００２１】
図１は、この実施形態のドアストッパＤＳを適用した間仕切装置１を示している。この間仕切装置１は、図１及び図２に示すように、人が行き交う通路などの表側空間７１と、建物のインフラを担う各種設備などが収容される裏側空間７２とを仕切るために設置されたもので、上、下に配設されたレール２、３に図示しない戸車を有した扉４をスライド移動可能に支持させてなる。
【００２２】
すなわち、この間仕切装置１は、図１及び図２に示すように、天井Ｃに取り付けられた上のレールである天井レール２と、床Ｆに取り付けられた下のレールである床レール３との間に、前記扉（以下、「スライド点検扉４」と称する）を例えば３枚配設するとともに、これら３枚のスライド点検扉４の両端に開き戸式の点検扉（以下、「開き戸点検扉５」と称する）を吊元を反対側に設定して配してなるもので、図２に実線で示すように、全てのスライド点検扉４、及び開き戸点検扉５を面一に閉じた状態で、前記表側空間７１と前記裏側空間７２とを仕切るための連続壁面を構成するようになっている。前記天井レール２及び前記床レール３は、前記スライド点検扉４の３枚分の幅寸法と、前記開き戸点検扉５の２枚分の幅寸法を合計した長さ寸法を有しており、前記開き戸点検扉５を開くことによって、前記スライド点検扉４を前記両レール２、３に沿ってスライド移動させることができるようになっている。
【００２３】
しかして、前記開き戸点検扉５は、建築壁Ｗに固定された壁レール６に蝶番５１１を介して接続された扉枠５１と、この扉枠５１の前記表側空間７１側に添設した表面パネル５２と、前記扉枠５１の裏側空間７２側に添設した裏面パネル５３とを具備するもので、前記スライド点検扉４と面一となる閉止位置から前記表側空間７１側に開くようになっている。
【００２４】
本実施形態にかかる間仕切装置１は、図２に実線で示すように、両前記開き戸点検扉５を３枚の前記スライド点検扉４と面一となる閉止位置に保持した状態では、前記表側空間７１と裏側空間７２とが完全に遮音効果等のもとに仕切られることとなる。
【００２５】
そして、各種設備の点検等を行う際には、前記開き戸点検扉５の少なくとも一方を開成させる。すなわち、一方の前記開き戸点検扉５のみを開成した場合には、前記スライド点検扉４は一枚の前記開き戸点検扉５の扉幅分の移動が可能となり、所望の位置に扉幅一枚分の開口を形成することができる。また、両方の前記開き戸点検扉５、５を開成した場合には、前記スライド点検扉４は二枚の前記開き戸点検扉５の扉幅分の移動が可能となり、所望の位置に扉幅二枚分の開口を形成することができる。
【００２６】
このような間仕切装置１において、本実施形態は、左右の開き戸点検扉５（Ｌ）、５（Ｒ）に対し、閉扉、開扉何れの方向にも停止機能を発揮するドアストッパＤＳを、その裏面パネル５３側に取り付けている。図１及び図２において符号（Ｐ）はドアストッパの待機位置（非接地状態）を、符号（Ｑ）はドアストッパの使用位置（接地状態）を示している。以下、開き戸点検扉５を単に「扉５」と略称する。
【００２７】
図３はドアストッパＤＳの分解斜視図であり、図４は正面視左端側に配置された扉５（Ｌ）にドアストッパＤＳを適用した状態を扉５を想像線にして示す裏面図であり、図５は図４におけるＶ−Ｖ線断面図、図６はその斜視図である。また、図７は正面視右端側に配置された扉５（Ｒ）にドアストッパＤＳを適用した状態を扉５を想像線にして示す裏面図であり、図８は図７におけるＶＩＩＩ−ＶＩＩＩ線断面図、図９はその斜視図である。
【００２８】
図３〜図６に示す左側の扉５（Ｌ）に付帯するドアストッパＤＳは、脚部８を軸受部材９を介して扉５（Ｌ）に取り付けられている。具体的に説明すると、脚部８は、金属製の板材を概略チャネル状をなすように折り曲げて対向壁８１、８２を形成するとともに、その対向壁８１、８２の長手方向一端側を接続する位置に底壁８３を形成したもので、底壁に弾性を有するゴム製の接地部材８４をボルト８４ａを用いて取り付けており、この接地部材８４が脚部８の先端部８ｙをなしている。この実施形態の接地部材８４は頭部を底面に平行な面で切除した逆円錐状をなしている。対向壁８１、８２の上端側には軸孔８１ａ、８２ａが形成してあり、上端部８１ｂ、８２ｂは前記軸孔８１ａ、８２ａを中心とする円弧面をなしている。
【００２９】
一方、軸受部材９は、金属製の板材を折り曲げることによって、本発明の取付部となる一対の取付壁９１、９２と、これらの取付壁９１、９２の下方領域間を接続する接続壁９０とを形成しているもので、取付壁９１、９２間の内法寸法ｄ１は前記脚部８を構成する対向壁８１、８２間の外法寸法よりも若干大きく設定してある。一方の取付壁９１の中央には軸部材９５の頭部９５ａを挿入可能な第１の軸孔９１ａが、また他方の取付壁９２の対応位置には前記軸部材９５の軸部９５ｂを挿入可能な第２の軸孔９２ａがそれぞれ形成してある。軸部材９５の頭部９５ａは皿状をなし、第１の軸孔９１ａはこれを受容するテーパ孔をなしている。また、この軸受部材９は、図４〜図６に示すように、他方の取付壁９２を左端側の扉５（Ｌ）の立面を形成する裏面パネル５３に突き当てた状態で一方の取付壁９１を通過させたボルトｖ１１、ｖ１２で当該他方の取付壁９２を扉５（Ｌ）に締結するための第１のボルト孔群９３（９３ａ、９３ｂ、９３ｃ、９３ｄ）と、図７〜図９に示すように、一方の取付壁９１を右端側の扉５（Ｒ）の立面を形成する裏面パネル５３に突き当てた状態で他方の取付壁９２を通過させたボルトｖ２１、ｖ２２で当該一方の取付壁９１を扉５に締結するための第２のボルト孔群９４（９４ａ、９４ｂ、９４ｃ、９４ｄ）とを備えている。
【００３０】
第１のボルト孔群９３は、図３並びに図４〜図６に示すように、一方の取付壁９１に上下一対に設けられて上下に延びる長孔状のボルト通過孔９３ａおよびその間に設けられた丸孔状のボルト通過孔９３ｂと、他方の取付壁９２に上下一対に設けられて上下に延び前記ボルト通過孔９３ａよりも幅狭なボルト係止孔９３ｃおよびその間に設けられて前記ボルト通過孔９３ｂよりも小径のボルト係止孔９３ｄとを具備している。
【００３１】
また、第２のボルト孔群９４は、図３並びに図７〜図９に示すように、他方の取付壁９２に上下一対に設けられて上下に延びる長孔状のボルト通過孔９４ａおよびその間に設けられた丸孔状のボルト通過孔９４ｂと、一方の取付壁９１に上下一対に設けられて上下に延び前記ボルト通過孔９４ａよりも幅狭なボルト係止孔９４ｃおよびその間に設けられて前記ボルト通過孔９４ｂよりも小径のボルト係止孔９４ｄとを具備している。
【００３２】
第１のボルト孔群９３と第２のボルト孔群９４は軸受部材９上の同じ高さ位置にあって一方を鉛直軸回りに１８０°回転させると他方に合致する関係にある。
【００３３】
図３に示す脚部８と軸受部材９との組み付けに際しては、軸受部材９の取付壁９１、９２間に脚部８の上端部を差し込み、第１の軸孔９１ａに挿通した軸部材９５を第２の軸孔９２ａに挿通して挿通端をかしめることによって、脚部８の基端部８ｘを軸受部材９に回転可能に取り付ける。この取付状態において脚部８の作動範囲を例えば図４に基づいて説明すると、軸部材９５の軸心ｍの直下に先端部８ｙが鉛直に垂下する同図に実線で示す使用位置８（Ｑ）と、この位置から時計回りにて回転し軸心ｍの真上の思案点を通過し更に回転して略２７０°の位置で前記接続壁９０の上縁９０ａに突き当たって略水平な姿勢で停止される同図に想像線で示す待機位置８（Ｐ）との間で回転自在となる。接続壁９０の上縁９０ａは本発明の係り合い部として機能している。
【００３４】
そして、図２における左端側の扉５（Ｌ）にドアストッパＤＳを取り付けた図４〜図６に示されるように、他方の取付壁９２を扉５（Ｌ）の裏面パネル５３に突き当て、第１のボルト孔群９３（９３ａ、９３ｃ）にボルトｖ１１を挿通して軸受部材９を扉５（Ｌ）の戸先側（正面視左側）の縁部近傍に締結することによって、使用位置にある脚部８（Ｑ）が裏面視時計回りに回転して前記係り合い部９０ａに係り合う待機位置８（Ｐ）に停止、保持されるされるように組み付け、また、図２における右端側の扉５（Ｒ）にドアストッパＤＳを取り付けた図７〜図９に示されるように、一方の取付壁９１を扉５（Ｒ）の裏面パネル５３に突き当て、第２のボルト孔群９４（９４ａ、９４ｃ）にボルトｖ２１を挿通して軸受部材９を扉５（Ｒ）の戸先側（正面視右側）の縁部近傍に締結することによって、使用位置にある脚部８（Ｑ）が裏面視反時計回りに回転して前記係り合い部９０ａに係り合う待機位置に停止、保持されるように組み付けている。
【００３５】
上述した軸受部材９の扉５（Ｌ），５（Ｒ）への取り付けに際しては、ボルトｖ１１、ｖ２１を扉５に止着し、脚部８の接地高さが適切となるようにボルトｖ１１、２１とボルト係止孔９３ｃ、９４ｃとの相対位置変化を通じて軸受部材９の高さを調節した後、ボルトｖ１１、ｖ２１を緊締することによって、取り付けを完了する。ボルトｖ１１とボルト係止孔９３ｃ、ボルトｖ２１とボルト係止孔９４ｃは、本発明の高さ調節部Ｈを構成している。必要に応じて、ボルト通過孔９３ｂ、９４ｂおよびボルト係止孔９３ｄ、９４ｄにボルトｖ１２、ｖ２２を挿し込んで扉５にタップを切って締結すれば、高さ方向の位置が確定される。
【００３６】
以上のように、本実施形態のドアストッパＤＳは、扉５の立面を形成する裏面パネル５３に脚部８を取り付けることによって構成されるものであり、前記脚部８は基端部８ｘを扉５の立面である裏面パネル５３に対する略垂直な軸部材９５の回りに扉５の面に平行な面内で回転自在であり、先端部８ｙを前記軸部材９５の直下において床Ｆに押し付けるように接地させた状態で床Ｆからの押し付け反力（垂直抗力）によって扉５に開閉何れの方向に対しても保持力を作用させ得るようにしている。
【００３７】
このようにすることで、脚部８から扉５に作用する保持力に方向性が無くなるので、１つのドアストッパＤＳで扉５の閉扉、開扉何れの方向にも適切に停止機能を発揮させることができる。しかも、脚部８は回転動作を通じて斜め状態で接地し、鉛直姿勢になるまで先端部８ｙを床に押し込むだけでよく、複雑な機構を用いずとも簡単に押し付け力を高めることができる。さらに、立面である裏面パネル５３に脚部５を回転可能に取り付けるだけであるから、外付けでも簡単に扉５に対する取り付けを行うことができ、薄い扉や内部構造に制約の多い扉、既存の扉にも容易に適用することが可能になる。
【００３８】
また、脚部８を扉５に取り付けるための軸受部材９を具備し、この軸受部材９の一部に、脚部８が回転して先端部８ｙが基端部８ｘの真上に位置することとなる思案点を通過した位置に当該脚部８を自重で停止させる係り合い部９０ａを設けているので、複雑な停止機構を軸受部材９の内部に組み込むことなく、簡易な構造で脚部８を待機位置に保持することができる。
【００３９】
さらに、軸受部材９に一対の対向する取付部たる取付壁９１、９２を設け、一方の取付壁９１を扉５（Ｒ）に取り付けた際には接地状態にある脚部８を一方向（裏面視反時計回り）に回転させて前記係り合い部９０ａに停止させることができるとともに、他方の取付壁９２を扉５（Ｌ）に取り付けた際には接地状態にある脚部８を他方向（裏面視時計回り）に回転させて前記係り合い部９０ａに停止させることができるようにしている。
【００４０】
すなわち、本実施形態のように扉５（Ｌ），５（Ｒ）の戸先側の縁部近傍にドアストッパＤＳを組み付ける場合に、扉５（Ｌ）、５（Ｒ）の吊元が左にあるか右にあるかに応じて裏面パネル５３に取り付けるべき取付壁９１、９２を選択すれば、何れの場合にも脚部９を戸先側の縁部と平行な起立位置を越えて吊元側へ倒れた状態で停止させることができるので、右勝手か左勝手かによらずに１つのドアストッパＤＳを共用することが可能となり、ドアストッパＤＳを２種類用意する無駄を無くすことができる。
【００４１】
さらにまた、脚部８を扉５に取り付けるための軸受部材９の一部に、脚部８の接地高さを調節するための高さ調節部Ｈを設けているので、適用する扉５やその周辺の床Ｆの状況等に応じて、床Ｆからの垂直反力が適切となる接地高さに有効に調節することができるようになる。
【００４２】
そして、このようなドアストッパＤＳを間仕切壁１の一部を構成する開き戸式の扉５に付帯させているので、半開きの状態で扉５に閉扉、開扉何れの方向にも保持力を作用させて扉５を的確に停止させることができ、点検のための出入や通行、作業の妨げになることを適切に防止した間仕切装置１として利用に供することが可能となる。
【００４３】
なお、各部の具体的な構成は、上述した実施形態のみに限定されるものではなく、本発明の趣旨を逸脱しない範囲で種々変形が可能である。
【符号の説明】
【００４４】
１…間仕切壁
５…扉
８…脚部
８ｘ…基端部
８ｙ…先端部
９…軸受部材
９０ａ…係り合い部
９１、９２…取付部（取付壁）
９５…軸部材
ＤＳ…ドアストッパ
Ｆ…床
Ｈ…高さ調節部
【図１】
2012041797.tif 000003
【図２】
2012041797.tif 000004
【図３】
2012041797.tif 000005
【図４】
2012041797.tif 000006
【図５】
2012041797.tif 000007
【図６】
2012041797.tif 000008
【図７】
2012041797.tif 000009
【図８】
2012041797.tif 000010
【図９】
2012041797.tif 000011